【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】
ミキシングアルゴリズムを実行するエンジンと、該エンジンに接続され前記エンジンをモニタする一または複数のコンソールとによって構成されるミキシングシステムであって、
前記ミキシングアルゴリズムにおける任意の箇所の音声信号を選択し、第１モニタ信号として、接続されている一または複数の前記コンソールに出力する第１モニタ信号出力手段と、
前記ミキシングアルゴリズムにおける任意の箇所の音声信号を、前記第１モニタ信号から独立して選択し第２モニタ信号として接続されている一または複数の前記コンソールに出力する第２モニタ信号出力手段と、
前記エンジンに接続されているコンソールが１台のみであるとき、当該１台のコンソールにおける選択操作に基づいて前記第１および第２モニタ信号の双方の選択状態を設定する一方、前記エンジンに接続されているコンソールが複数であるとき、そのうちの第１のコンソールにおける選択操作に基づいて前記第１モニタ信号の選択状態を設定するとともに第２のコンソールにおける選択操作に基づいて前記第２モニタ信号の選択状態を設定するモニタ信号選択手段と
を具備することを特徴とするミキシングシステム。
【請求項２】  
前記エンジンに接続されているコンソールが１台のみであるとき、当該コンソールでキュー指定された一または複数箇所の音声信号を前記エンジンにおいてミキシングし、その結果を当該コンソールに単一のキュー信号として出力する一方、前記エンジンに接続されているコンソールが複数であるとき、前記第１のコンソールでキュー指定された一または複数の音声信号を前記エンジンにおいてミキシングし、その結果を前記第１のコンソールに第１キュー信号として出力するとともに、前記第２のコンソールでキュー指定された一または複数の音声信号を前記エンジンにおいてミキシングし、その結果を前記第２のコンソールに第２キュー信号として出力するキュー信号選択手段と、
前記エンジンに接続されているコンソールが複数であるときキューリンクをオンまたはオフに設定するとともに、前記キューリンクがオンに設定された場合、前記第１および第２のコンソールにおけるキュー指定を相互に連動させることにより前記第１および第２キュー信号を同一の信号とする一方、該キューリンクがオフに設定された場合、前記第１および第２のコンソールにおけるキュー指定を相互に独立させるキューリンク設定手段と
をさらに具備することを特徴とする請求項１記載のミキシングシステム。
【請求項３】  
前記エンジンに接続される前記コンソールは複数であり、
前記第２のコンソールから前記第１のコンソールへの通話状態である第１通話状態を設定する第１通話状態設定手段と、
設定された該第１通話状態に基づいて、前記第２のコンソールにおけるトークバック信号を前記第１モニタ信号にミキシングする第１ミキシング手段と、
前記第１のコンソールから前記第２のコンソールへの通話状態である第２通話状態を設定する第２通話状態設定手段と、
設定された該第２通話状態に基づいて、前記第１のコンソールにおけるトークバック信号を前記第２モニタ信号にミキシングする第２ミキシング手段と
をさらに具備することを特徴とする請求項１記載のミキシングシステム。
【請求項４】  
前記第１のコンソールに設けられたトークバックスイッチのオン操作に応じて、前記第１のコンソールからのトークバック信号の入力をオン状態に設定し、前記第１のコンソールに対する前記第１モニタ信号を減衰させる第１減衰手段と、
前記第２のコンソールに設けられたトークバックスイッチのオン操作に応じて、前記第２のコンソールからのトークバック信号の入力をオン状態に設定し、前記第２のコンソールに対する前記第２モニタ信号を減衰させる第２減衰手段と、
前記第１および第２モニタ信号の減衰に対する連動のオン／オフ状態を設定するとともに、前記減衰に対する連動がオン状態に設定されているとき、前記第１または第２モニタ信号のうち一方が減衰されると、他方を連動して減衰させる連動状態設定手段と
をさらに具備することを特徴とする請求項３記載のミキシングシステム。
【請求項５】
前記第１のコンソールからのトークバック信号と、前記第２のコンソールからのトークバック信号とをミキシングし、該ミキシングされたトークバック信号を前記エンジン側からトークバック出力信号として出力するトークバック信号ミキシング手段
をさらに具備することを特徴とする請求項３記載のミキシングシステム。
【手続補正２】
【補正対象書類名】明細書
【補正対象項目名】０００１
【補正方法】変更
【補正の内容】
【０００１】
【発明の属する技術分野】
本発明は、大規模なミキシング処理に用いて好適なミキシングシステムに関する。
【手続補正３】
【補正対象書類名】明細書
【補正対象項目名】０００５
【補正方法】変更
【補正の内容】
【０００５】
ところで、複数のコンソールまたは複数のエンジンを組み合わせて使用する際、複数のオペレータによってそれぞれ異なるコンソールが操作されることになる。その際、各コンソールのオペレータは、信号系統を自由にモニタでき、かつこれら複数のオペレータによるモニタリング操作は相互に独立していることが望ましい。しかし、従来のミキシングシステムはかかる操作に対応していなかったため、複数系統のモニタリングが困難であったり、一人のオペレータによる操作が他のオペレータのモニタリングに影響を及ぼす等の問題があった。
この発明は上述した事情に鑑みてなされたものであり、複数のオペレータに対して自由度が高く、かつ独立性の高いモニタリング環境を実現するミキシングシステムを提供することを目的としている。
【手続補正４】
【補正対象書類名】明細書
【補正対象項目名】０００６
【補正方法】変更
【補正の内容】
【０００６】
【課題を解決するための手段】
上記課題を解決するため本発明にあっては、下記構成を具備することを特徴とする。なお、括弧内は例示である。
請求項１記載のミキシングシステムにあっては、ミキシングアルゴリズムを実行するエンジン（２００Ｅ）と、該エンジンに接続され前記エンジン（２００Ｅ）をモニタする一または複数のコンソール（１００Ａ，１００Ｂ）とによって構成されるミキシングシステムであって、前記ミキシングアルゴリズムにおける任意の箇所の音声信号を選択し、第１モニタ信号（ＭＯＮ１）として、接続されている一または複数の前記コンソール（１００Ａ，１００Ｂ）に出力する第１モニタ信号出力手段（２５０）と、前記ミキシングアルゴリズムにおける任意の箇所の音声信号を、前記第１モニタ信号（ＭＯＮ１）から独立して選択し第２モニタ信号（ＭＯＮ２）として接続されている一または複数の前記コンソール（１００Ａ，１００Ｂ）に出力する第２モニタ信号出力手段（２５２）と、前記エンジンに接続されているコンソールが１台のみであるとき、当該１台のコンソールにおける選択操作に基づいて前記第１および第２モニタ信号（ＭＯＮ１，ＭＯＮ２）の双方の選択状態を設定する一方、前記エンジンに接続されているコンソールが複数であるとき、そのうちの第１のコンソールにおける選択操作に基づいて前記第１モニタ信号（ＭＯＮ１）の選択状態を設定するとともに第２のコンソールにおける選択操作に基づいて前記第２モニタ信号（ＭＯＮ２）の選択状態を設定するモニタ信号選択手段とを具備することを特徴とする。
さらに、請求項２記載の構成にあっては、請求項１記載のミキシングシステムにおいて、前記エンジンに接続されているコンソールが１台のみであるとき、当該コンソールでキュー指定された一または複数箇所の音声信号を前記エンジンにおいてミキシングし、その結果を当該コンソールに単一のキュー信号として出力する一方、前記エンジンに接続されているコンソールが複数であるとき、前記第１のコンソールでキュー指定された一または複数の音声信号を前記エンジンにおいてミキシングし、その結果を前記第１のコンソールに第１キュー信号（ＣＵＥ１）として出力するとともに、前記第２のコンソールでキュー指定された一または複数の音声信号を前記エンジンにおいてミキシングし、その結果を前記第２のコンソールに第２キュー信号（ＣＵＥ２）として出力するキュー信号選択手段と、前記エンジンに接続されているコンソールが複数であるときキューリンクをオンまたはオフに設定するとともに、前記キューリンクがオンに設定された場合、前記第１および第２のコンソールにおけるキュー指定を相互に連動させることにより前記第１および第２キュー信号（ＣＵＥ１，ＣＵＥ２）を同一の信号とする一方、該キューリンクがオフに設定された場合、前記第１および第２のコンソールにおけるキュー指定を相互に独立させるキューリンク設定手段とをさらに具備することを特徴とする。
さらに、請求項３記載の構成にあっては、請求項１記載のミキシングシステムにおいて、前記エンジンに接続される前記コンソールは複数であり、前記第２のコンソールから前記第１のコンソールへの通話状態である第１通話状態を設定する第１通話状態設定手段（３０４ｅ，１３９）と、設定された該第１通話状態に基づいて、前記第２のコンソールにおけるトークバック信号を前記第１モニタ信号にミキシングする第１ミキシング手段（３１０ｅ）と、前記第１のコンソールから前記第２のコンソールへの通話状態である第２通話状態を設定する第２通話状態設定手段（３２４ｅ，１３９）と、設定された該第２通話状態に基づいて、前記第１のコンソールにおけるトークバック信号を前記第２モニタ信号にミキシングする第２ミキシング手段（３３０ｅ）とをさらに具備することを特徴とする。
さらに、請求項４記載の構成にあっては、請求項３記載のミキシングシステムにおいて、前記第１のコンソールに設けられたトークバックスイッチのオン操作に応じて、前記第１のコンソールからのトークバック信号の入力をオン状態に設定し、前記第１のコンソールに対する前記第１モニタ信号を減衰させる第１減衰手段（１５２ａ）と、前記第２のコンソールに設けられたトークバックスイッチのオン操作に応じて、前記第２のコンソールからのトークバック信号の入力をオン状態に設定し、前記第２のコンソールに対する前記第２モニタ信号を減衰させる第２減衰手段（１５２ｂ）と、前記第１および第２モニタ信号の減衰に対する連動のオン／オフ状態（スイッチ１５４ａのオン／オフ状態）を設定するとともに、前記減衰に対する連動がオン状態に設定されているとき、前記第１または第２モニタ信号のうち一方が減衰されると、他方を連動して減衰させる連動状態設定手段（１５４ａ）とをさらに具備することを特徴とする。
さらに、請求項５記載の構成にあっては、請求項３記載のミキシングシステムにおいて、前記第１のコンソールからのトークバック信号と、前記第２のコンソールからのトークバック信号とをミキシングし、該ミキシングされたトークバック信号を前記エンジン側からトークバック出力信号として出力するトークバック信号ミキシング手段（３５２ｅ，３６２ｅ，３６４ｅ）をさらに具備することを特徴とする。